(57)【特許請求の範囲】
【請求項１】
筒状体の内部を上下に分割して少なくとも二つの芳香剤等が収容可能な収容部を設ける共に、該筒状体の中心軸部に保護蓋体の支持杆を挿通可能な案内筒を設けて容器体となして、前記収容部に芳香剤等を収容した筒状容器体の上下の両端部に、芳香剤等が揮散する揮散孔を設けた開口蓋を着脱自在に嵌合せしめると共に、前記開口蓋の揮散孔をフィルム等により剥離可能に密閉して容器本体を形成して、該容器本体の両端部の開口蓋に保護蓋体の支持杆を貫通せしめて前記案内筒に挿通して、上下動可能に保持した保護蓋体を設けて、芳香剤等を揮散可能にしたことを特徴とする切り換え可能に芳香剤等を収容した容器。
【請求項２】
前記容器体は、円筒形をした筒状体で形成されてなることを特徴とする請求項１または２に記載する切り換え可能に芳香剤等を収容した容器。
【請求項３】
前記容器体は、多角形をした筒状体で形成されてなることを特徴とする請求項１または２に記載する切り換え可能に芳香剤等を収容した容器。
【請求項４】
前記容器体は、筒状体を上下に分割された収容部を更に縦に複数仕切られてなることを特徴とする請求項１乃至３に記載する切り換え可能に芳香剤等を収容した容器。
【請求項５】
前記保護蓋体は、裏面に揮散を防止する軟質材が設けられてなることを特徴とする請求項１乃至４に記載する切り換え可能に芳香剤等を収容した容器。
【発明の詳細な説明】
【０００１】
【発明の属する技術分野】
本願の発明は、芳香剤や消臭剤、防虫剤等の揮散組成物質を収容した容器に係わり、更に詳細には、一つの容器に芳香剤等を収容するための複数の収容部を設けて、該収容部に複数の芳香剤等を収容しておいて、芳香剤等が揮散する時間を長くさせたり、また、複数の異なる芳香剤を収容しておいて、芳香剤等を揮散させている途中でその種類を変えことができるようにした芳香剤等の収容容器に関するものである。
【０００２】
【従来の技術】
近年、生活や住環境の変化から住居や店舗、事務所、公共の建物等に於いて、人々を快適な気分にさせるために各種の花の香り等を漂わせたり、不愉快な臭いを消したり、害虫を駆除したりするのに、芳香剤や消臭剤、防虫剤等の揮発性成分を空気中に発散させるようになってきた。
従来から一般に使用されている芳香剤や消臭剤、防虫剤等の各成分を空気中に発散させるためには、粉末状にした成分を発散可能な袋に詰めたもの、各種の成分を揮散紙等に含浸させたもの、液体をエアゾル容器に詰めて噴霧可能にしたもの、あるいは、揮発性の固形体を揮発可能な容器に収容したもの、容器に詰めた液体を毛細管現象により発散可能にしたもの等の形態にしたものが広く知られている。
【０００３】
しかし、上記したような袋詰めしたものや、揮散紙等に含浸させたものは、構造が簡単で、安価に製造することができて、箪笥や物置等に於いて防虫剤として使用するのには適しいるが、広い建物内や室内に於いて不快な臭いを消したり、爽快な気分を感じさせるための消臭剤や芳香剤として使用するには、その形状や揮散量の関係であまり適していない。
また、エアゾル容器は、単なる殺虫剤としてのみならず、消臭剤や芳香剤等にも適していて、即効性を有してはいるが、薬剤を噴霧して長い時間の薬効を得ようとすれば、度々噴射ノズルを押圧する噴霧操作をしなくてはならないので、噴霧量は押圧操作により加減することができるが、薬効が長続きしないという問題がある。
【０００４】
そこで、人々を爽快な気分にしたり、室内等の不愉快な臭いを消したりする芳香剤や消臭剤の香りを上記したものよりも長い間持続して発生できるような構造にしたものとして、実開昭５５−５４９７３号や実開昭６３−１６６２４３号公報等に見るように、各種の芳香源や消臭源となる液状体を色々な形状をした容器に詰めて、毛細管現象の作用により空気中に発散させるような構造をしたものが、多用されるようになった。
【０００５】
その一つの例としては図７に示すように、合成樹脂その他で成形された中空容器６１に芳香剤や防虫剤となる液体６２を収容して、その口頸部６１ａに吸い上げ部材６３を垂設して容器内の芳香剤等の液体を吸い上げるように保持した保持部材６４を嵌着すると共に、前記吸い上げ部材６３の先端部６３ａを突出せしめた状態で固定する蓋体６５を螺合して容器内の液体を吸い上げ可能となし、更に、前記蓋体６５に頂壁から突出する吸い上げ部材の先端部６３ａに接して液体を吸収するスポンジ等の揮散部材６７を装着した保持体６６を嵌合して、前記中空容器６１から吸い上げられる芳香剤等の液体を前記揮散部材６７で吸収して、該揮散部材の表面で外気に接して揮散せしめるような構造にした芳香剤等の容器が一般的である。
【０００６】
上記のような構造にした芳香剤容器には、必要に応じて揮散部材６７を覆うように飾り蓋６８が保持体６６に対して被着されると共に、該飾り蓋６８に設けられる揮散口６８ａの開口部の大きさにより揮散する量を調節することができて、また、容器６１に収容された芳香剤等の内溶液６２がなくなった場合には、すぐに内溶液を補充することが可能である。
しかし、上記のような構造をした芳香剤等の容器は、一つの種類しか揮散させることができず、また、吸い上げ部材６３の先端部６３ａを覆っていた遮蔽体を除いて揮散を始めた後では、薬液の揮散を中断することができないし、また、薬液の揮散速度を調整することができない。
【０００７】
また、実公平３−１９８８３号や特開平１１−８９９２３号公報等に見るように、芳香剤や消臭剤等を固形状にしたものを色々な形状をした容器に収容して発散可能としたものも知られている。
上記する発明等は、図８に示すように、合成樹脂により成形された皿状の受容体５１の中央に立設した支持体５２の回りに芳香剤や防虫剤となるゲル状の組成物５３を充填、固定したものに、円錐形のコップ状をした蓋体５４を支持軸５５を介して前記支持体５２に嵌着して軸線方向に沿ってスライド可能に設けられて、蓋体５４と受容体５１との間に前記固形組成物５３を空気中に露出させるための開口部５６を形成できる構造にしたものである。
【０００８】
上記のような構造にした固体状をした芳香剤等を収容した容器は、蓋体５４を上下方向に移動させて、固形組成物５３の側面の露出度合いを変化させることにより、発散量を調節することはできるが、しかし、一度容器を開封して芳香剤等を揮散させて使い始めた後では、途中で薬剤の蒸散を中断させようとしても、揮蒸揮散を停止させる機能を備えていなっいないので、芳香剤等の揮散を一時的に中断させることはできない。
従って、芳香剤等を揮散させる必要がなくなった場合であっても、一度容器を開封された芳香剤等は無駄な揮散をし続けることになり、また、芳香剤等がなくなった場合にも補充することができないので、長い期間にわたって揮散できるようにできないという問題があった。
【０００９】
そこで、芳香剤や消臭剤、防虫剤等を色々な形状をした容器に収容して揮散可能な構造にした芳香剤等の容器に於いて、芳香剤や消臭剤等を幾つかに分けて収容して置くことができて、また、幾つかの異なる種類の香りがする芳香剤等をして置くことができて、揮散する量を調節することはできるようにした容器、更には、一度容器を開封した後ても薬剤の揮散を中断することはできるような機能を備えていて、長い期間にわたって芳香剤等を揮散できるようにした容器の出現が望まれている。
【００１０】
【発明が解決しようとする課題】
本願の発明は、筒状をした本体部分に芳香剤や消臭剤、防虫剤等を収容する複数の収容室を形成して、該収容室のそれぞれに収容した芳香剤等を揮散せしめることを可能にした容器本体を形成して、該容器本体の上面部分に設けた揮散孔からの芳香剤等の揮散が終了したら、下面部分に設けた揮散孔から芳香剤等を揮散せしめるように切り換えることができるようにすると共に、前記複数の収容室に異なる種類の芳香剤等を収容して揮散させることができるように構成した芳香剤や消臭剤、防虫剤等を収容した容器を提供することを目的とする。
【００１１】
【課題を解決する手段】
中心軸部に案内筒を設けた筒状体の内部が上下に仕切られて少なくとも二室が形成されていて、更に、必要に応じて上下の各室を複数に仕切ることも可能で、芳香剤や消臭剤、防虫剤等を収容できるようにした複数の収容室が設けられた筒状の容器体を形成すると共に、前記容器体の上下両端の開口部には、揮散孔を設けた開口蓋をそれぞれ着脱自在に嵌合せしめて、前記上下の各収容室内の芳香剤等を揮散可能とした容器本体を構成する。
【００１２】
そして、前記容器本体の中心軸部に設けた案内筒には、前記開口蓋に密着して揮散孔を密閉、保護する飾り蓋体の支持棒を開口蓋を貫通せしめて上下動自在に挿通して設け、前記上下の収容室の開口蓋の揮散孔を開閉可能に形成して、上下の収容室に収容された芳香剤等を揮散可能となして、該容器本体の上面部分に設けた揮散孔からの芳香剤等の揮散が終了したら、容器本体を天地逆にして、下面部分に設けた揮散孔から芳香剤等を揮散せしめるように切り換えることができるようにすると共に、前記複数の収容室に異なる種類の芳香剤等を収容して揮散させることができるように構成した芳香剤や消臭剤、防虫剤等を収容した容器を提供することを目的とする。
【００１３】
【発明の実施の態様】
筒状体の中心軸部に挿通された支持杆５ａを案内する案内筒２ｂを設けて、筒状体の内部を上下に仕切って二つの室Ａ，Ｂに区分すると共に、必要に応じて上下に区分した各室を複数に仕切ることにより、芳香剤や消臭剤、防虫剤等を収容可能にした複数の収容室２ａを設けた筒状体からなる容器体２を形成して、該容器体２の上下両端の開口部に、芳香剤等が揮散する揮散孔３ａを設けた開口蓋３をそれぞれ着脱自在に嵌合せしめて、筒状容器体２の上下の各収容室２ａ内に収容した芳香剤等を揮散可能とした容器本体４を構成する。
【００１４】
上記のように構成された容器本体４には、各収容室に固形状の粉粒体やゲル状をした芳香剤や消臭剤、防虫剤等を収容して、それぞれの開口端に揮散孔３ａを設けた開口蓋３を着脱自在に嵌合すると共に、揮散孔３ａを塞ぐシール部材６を貼着して密封する。
そして、前記開口蓋３を貫通して容器本体２の中心軸部に設けられた案内筒２ｂに、開口蓋３面に密着して揮散孔３ａを保護するように設けられる飾り蓋体５の支持杆５ａ，５ｂを上下動自在に挿通して設けて、前記筒状の容器本体４に上下に設けた収容室Ａ，Ｂに収容した芳香剤等を揮散可能にした芳香容器等の製品を形成する。
【００１５】
上記のように形成された芳香剤等の容器１は、揮散させようとする芳香剤等が収容されている収容部の方を上にして、開口蓋３の揮散孔３ａを塞いでいるシール部材等６を剥がしてから、揮散を必要とする場所に置くことにより収容室内に収容された芳香剤等は揮散を開始する。
このようにして容器本体４の開口蓋３に設けられた揮散孔３ａからの芳香剤等の揮散が少なくなったり、終了したと感じられるようになったら、図４に示すように、容器本体４を天地逆にしてから下部の開口蓋３に設けられていたシール部材６を剥がして、芳香剤等の揮散せしめる収容室を切り換えて異なる芳香剤等を揮散させるようにする。
【００１６】
【実施例】
以下に、複数の芳香剤や消臭剤等を収容した容器の芳香剤を切り換え可能にした本願発明の容器を、最適な一つの実施例に基づいて、図面を参照しつつ詳細に説明する。
本願の発明は、図１に示すように、芳香剤や消臭剤または防虫剤等を揮散可能に収容した容器１は、円筒状に形成した容器体２の内部を上下に分割して芳香剤等を収容する収容部２ａが少なくとも二室が形成されると共に、中心軸部に保護蓋体５の支持杆５ａ，５ｂを挿通する案内筒２ｂが形成されていて、前記収容部２ａに芳香剤等を収容した円筒状容器体２の上下の両端部に揮散孔３ａを設けた開口蓋３が着脱自在に嵌合して芳香剤等を揮散可能に形成されてなる容器本体４に対して、前記開口蓋３面に密着して揮散孔３ａを保護するように設けられる保護蓋体５の支持杆５ａ，５ｂを、開口蓋３を貫通して中心軸部に設けられた案内筒２ｂに上下動自在に挿通して設けることにより、前記筒状体からなる容器本体４に上下に設けた収容室Ａ，Ｂに収容した芳香剤等を揮散可能にした芳香剤等の容器１を構成したものである。
【００１７】
上記した芳香剤等の容器に於ける容器体２は、熱可塑性合成樹脂の射出成形により、図２に示したように、円筒体を成形したその中心軸部分に開口蓋３に密着して揮散孔３ａを保護する保護蓋体５の支持杆５ａを挿通せしめて上下動自在に案内可能な案内筒２ｂ部を形成すると共に、円筒体を途中で上下二段に分割して芳香等を収容する収容部２ａを少なくとも二つは形成してなる円筒状をした容器体に成形されたものである。
その一方で、円筒状容器体２の上下両端部に着脱自在に嵌合して揮散孔３ａと貫通孔３ｂを設けた開口蓋３を、熱可塑性合成樹脂を射出成形により別体に成形する。
そこで、上記のように成形された複数の収容部を有する円筒状をした容器体２の上下の開口端部に対して、別体に成形された揮散孔３ａと貫通孔３ｂを有する開口蓋３が着脱自在に嵌合せしめられて本願発明の容器本体４が構成される。
【００１８】
また、図２に示すような、前記容器本体４に嵌合した開口蓋３の上面に密着して揮散孔３ａを保護する保護蓋体５は、開口蓋３とほぼ同じ大きさをした平板部に前記案内筒２ｂに嵌合可能な円筒状をした支持杆５ａ，５ｂを垂設した構造ものを、熱可塑性合成樹脂の射出成形により一体に成形されると共に、前記円筒状をした支持杆５ａ，５ｂの一方の先端部が他方の支持杆に嵌合するように細く成形されている。
そして、このように成形された保護蓋体５は、支持杆５ａ，５ｂが前記容器本体２の開口蓋３の貫通孔３ｂを挿通して、前記案内筒２ｂに上下動自在に上下から嵌合されてると共に、両方の先端部が案内筒２ｂの内部でお互いが嵌合されるようになっている。
【００１９】
上記のような構造をした本願発明の容器１は、容器本体４の上下の保護蓋体５および開口蓋３を外して、各収容部Ａ，Ｂ内に芳香剤や消臭剤または防虫剤等をそれぞれ収容してから、再び上下に開口蓋３を嵌合して蓋をしたら、図３に示すように、開口蓋の上面に内容物の揮散を防止するフィルム６等を貼着して、その上から保護蓋体５の支持杆５ａ，５ｂを開口蓋３の貫通孔３ｂに挿通して案内筒２ｂに上下動自在に嵌合せしめて芳香剤等の容器に構成される。
【００２０】
上記のようにして構成された芳香剤等を揮散可能にした容器１は、揮散させようとする芳香剤等か収容されている収容部Ａを上にして、揮散孔３ａを塞いでいたシール部材６を剥がすと芳香剤等が揮散を開始するので、揮散が必要な場所に置くことにより室内空間に芳香剤等が揮散されるようになる。
このようにして揮散を開始した容器１が、揮散孔３ａからの芳香剤等の揮散が少なくなったり、終了したと感じられるようになったら、図４に示すように、容器を上下逆向きにしてから下面部分に設けられていたシール部材６を剥がすと、下方の収容部Ｂに収容されていた芳香剤等を続けて揮散させることができる。
【００２１】
上記した実施例に於いては、筒状の容器本体は円筒状に形成されたものであったが、本願発明は、上記したような円筒体からなるものに限定されたものである必要はなくて、多角形状、その他の形状をした筒状体で構成された容器本体であってもよい。
例えば、図６に示したように、四角形状をした筒状体１２を中程で上下に分割して、その上下端部の開口部に四角形をした蓋に適当な形をした揮散孔１３ａを設けた開口蓋１５を着脱可能に嵌着したものであってもよい。
更には、図５に２点鎖線で示したように、筒状体を上下に分割した収容部Ａ，Ｂを、それぞれ幾つかの収容部Ａ，Ａ’に区画したものであってもよいし、その場合には、シール部材６も分割して剥離可能にしておくのがよい。
【００２２】
また、上記の実施例に於いては、容器本体４の開口蓋３の上面に貼着された揮散を防ぐフィルム６等の密閉体に保護蓋体５の裏面が直接に接するようにしたものであるから、一度フィルム６等を剥がした後では保護蓋体５で開口蓋３の揮散孔３ａを完全に塞ぐことは不可能である。
そこで、前記保護蓋体の裏面に、図４に示したように、揮散を防止可能な軟質の密閉部材５ｃを貼着しておけば、フィルム６等を剥がした後でも軟質の部材が開口蓋３の揮散孔３ａを完全とは言えないが、ある程度は塞いでおくことができるので、揮散を必要としなくなった場合には、保護蓋体５の裏面を開口蓋３の表面に密着させることにより、収容部内の芳香剤等の揮散を中断させることができる。
【００２３】
【発明の効果】
以上、述べたように、本願の発明は、筒状をした容器本体を中程で上下に分割して、少なくとも二つの芳香剤等を収容する収容部を形成して、該収容部内の芳香剤等を容器体の上端部および下端部に設けた開口蓋の揮散孔から揮散させるようにして芳香剤等の容器を構成して、上下いずれも同じように使用できる対称形にしたものであるから、上部の収容部に収容された芳香剤等がなくなった場合には、上下を逆にして切り換えることにより、下部の収容部に収容された芳香剤等を続けて揮散させることができる。
【００２４】
また、容器本体に複数の芳香剤等を収容する収容部が設けられているので、異なる種類の芳香剤等を収容していて、揮散させる成分を変えることが必要である場合には、異なる成分のものが収容されている収容部の揮散孔に貼着したフィルム等を剥がすことにより、簡単に切り換えて続けて揮散させることができる。
【図面の簡単な説明】
【図１】本願発明である芳香剤等を収容した容器の使用状態を示す斜視図である。
【図２】本願発明の芳香剤等の容器の断面図である。
【図３】図２に示す芳香剤等の容器のＸ−Ｘ断面図である。
【図４】本願発明の芳香剤等の容器を上下逆切り換えて使用する際の断面図である。
【図５】図２に示す芳香剤等の容器のＹ−Ｙ断面図である。
【図６】本願発明の芳香剤等の容器の変形例を示す斜視図である。
【図７】従来の液体芳香剤等の容器を示す断面図である。
【図８】従来の固体芳香剤等の容器を示す断面図である。
【符号の説明】
１．    容器
２．    容器体
２ａ．  収容部
２ｂ．  案内筒
３．    開口蓋
３ａ．  揮散孔
３ｂ．  貫通孔
４．    容器本体
５．    保護蓋体
５ａ．  支持杆
５ｂ．  支持杆
６．    シール部材
１２．  筒体
１３．  開口蓋
１３ａ．揮散孔
１４．  容器本体
１５．  保護蓋体
１６．  シール部材
Ａ．    収容部
Ｂ．    収容部
【図１】
0004093339.tif 000002
【図２】
0004093339.tif 000003
【図３】
0004093339.tif 000004
【図４】
0004093339.tif 000005
【図５】
0004093339.tif 000006
【図６】
0004093339.tif 000007
【図７】
0004093339.tif 000008
【図８】
0004093339.tif 000009